(57)【特許請求の範囲】
【請求項１】
障害物を検出するのに用いる障害物センサ（２，２ａ，２ｂ，２ｃ，２ｄ，２ｅ，２ｆ）を搭載した車両で用いられる車載装置であって、
前記障害物センサは、前記車両の左右側方のうち少なくとも一方の側方に広がる検出範囲が、前記車両の前後方向にそれぞれ並ぶ複数の障害物センサであり、
複数の前記障害物センサのうちの前記障害物が検出される前記障害物センサの変遷をもとに、自車に対する前記障害物の移動状態を逐次判別する判別部（１７）と、
複数の前記障害物センサの個々について、その障害物センサを用いて検出される前記障害物の自車に対する位置をそれぞれ特定する位置特定部（１１ａ，１１ｂ，１１ｃ，１１ｄ）と、
複数の前記障害物センサの個々について前記位置特定部で特定する前記障害物の位置のずれと走行に伴う自車の位置のずれとの差をもとに、前記障害物センサで検出された前記障害物が移動体か否かを判定する移動体判定部（１５）と、
複数の前記障害物センサの個々について前記位置特定部で特定した前記障害物の位置を記憶し、走行に伴う自車の位置のずれに応じて、記憶した前記障害物の位置を更新する位置管理部（１３）とを備え、
前記移動体判定部は、前記位置管理部で逐次更新される前記障害物の位置を用いて、前記障害物センサで検出された前記障害物が移動体か否かを判定し、
前記判別部は、前記移動体判定部で移動体であると判定された前記障害物が検出される前記障害物センサの変遷をもとに、自車に対する前記障害物の移動状態を逐次判別する車載装置。
【請求項２】
請求項１において、
前記判別部は、前記障害物が自車と反対方向に通過していくすれ違い状態、前記障害物が自車を追い抜いていく追い抜き状態、前記障害物が自車に追いついた追いつき状態、及び前記障害物が自車と並走する並走状態の少なくともいずれかの前記移動状態を判別する車載装置。
【請求項３】
請求項２において、
前記判別部は、前記追いつき状態と前記追い抜き状態とを、前記並走状態からの前記追いつき状態か前記追い抜き状態かで区別して判別する車載装置。
【請求項４】
請求項２又は３において、
前記位置特定部で特定する前記障害物の位置の前記車両の車幅方向の位置差分をもとに、前記車幅方向の位置が異なる障害物単位で前記障害物の位置を区分する区分処理部（１４）を備え、
前記判別部は、自車の進行方向に対して後部側の前記障害物センサ（２ｄ，２ｂ）で検出している障害物であって前記移動体判定部で移動体と判定している障害物である第１移動体よりも自車から車幅方向に離れた位置に、自車の進行方向に対して前部側の前記障害物センサ（２ｃ，２ａ）で異なる障害物であって前記移動体判定部で移動体と判定している障害物である第２移動体が検出された状態となると、この第２移動体の移動状態をすれ違い状態と判別する一方、自車の進行方向に対して後部側の前記障害物センサで検出している前記第１移動体と異なる障害物であって前記移動体判定部で移動体と判定している障害物である第３移動体を自車の進行方向に対して前部側の前記障害物センサで検出している状態であって、自車の進行方向に対して後部側の前記障害物センサでこの第３移動体が検出されない状態である場合には、この第３移動体の移動状態を追い抜き状態と判別する車載装置。
【請求項５】
請求項２〜４のいずれか１項において、
前記判別部で逐次判別する移動状態をもとに、前記車両の運転支援を行わせる支援制御部（１８）を備える車載装置。
【請求項６】
請求項５において、
前記判別部は、前記並走状態の判別を行うものであり、
前記支援制御部は、前記判別部で並走状態と判別した場合には、前記並走状態と判別した前記障害物を検出している自車側方への移動を制限するように前記運転支援を行わせる車載装置。
【請求項７】
請求項５又は６において、
前記判別部は、前記並走状態と前記追い抜き状態との判別を行うものであり、
前記支援制御部は、自車の隣接車線への合流を自動で行う運転支援を行わせるものであり、前記判別部で前記並走状態と判別した場合には、前記並走状態と判別した前記障害物を検出している前記隣接車線への合流を自動で行う運転支援を行わせない一方、前記判別部で前記並走状態と判別した後に前記追い抜き状態と判別した場合には、前記追い抜き状態と判別した前記障害物を検出している前記隣接車線への合流を自動で行うことを許可する車載装置。
【請求項８】
請求項５〜７のいずれか１項において、
前記判別部は、前記並走状態と前記追いつき状態との判別を行うものであり、
前記支援制御部は、自車の隣接車線への合流を自動で行う運転支援を行わせるものであり、前記判別部で前記並走状態と判別した場合には、前記並走状態と判別した前記障害物を検出している前記隣接車線への合流を自動で行う運転支援を行わせない一方、前記判別部で前記並走状態と判別した後に前記追いつき状態と判別した場合には、前記追いつき状態と判別した前記障害物を検出している前記隣接車線への合流を自動で行うことを許可する車載装置。
【請求項９】
請求項１〜８のいずれか１項において、
前記障害物センサ（２，２ａ，２ｂ，２ｃ，２ｄ）は、前記車両の少なくとも一方の側方に広がる検出範囲が前記車両の前後方向にそれぞれ並ぶ２つの障害物センサである車載装置。
【請求項１０】
請求項１〜８のいずれか１項において、
前記障害物センサ（２，２ａ，２ｂ，２ｃ，２ｄ，２ｅ，２ｆ）は、前記車両の少なくとも一方の側方に広がる検出範囲が前記車両の前後方向にそれぞれ並ぶ３つ以上の障害物センサである車載装置。
【発明の詳細な説明】
【技術分野】
【０００１】
本発明は、自車の周辺状況を判別する車載装置に関するものである。
【背景技術】
【０００２】
従来、レーダ等の障害物センサを用いて自車への障害物の接近を検知し、運転支援を行う技術が知られている。例えば、特許文献１には、自車の前後方向に配置された、自車側方の物体を検出する２つの距離測定センサのうち、に他車が進入したことを、ミリ波レーダを用いて検知した場合に、他車の存在を報知する技術が開示されている。
【先行技術文献】
【特許文献】
【０００３】
【特許文献１】特許５４４９５７４号公報
【発明の概要】
【発明が解決しようとする課題】
【０００４】
しかしながら、従来、特許文献１に開示のような技術では、他車を検知して報知を一旦行った場合に、自車に他車が追いついた後に並走状態となったか、自車を追い抜く状態となったかといった自車に対する他車の走行状態の変化を新たに判別し、走行状態の変化に応じた支援を行うことがなかった。
【０００５】
本発明は、上記従来の問題点に鑑みなされたものであって、その目的は、自車側方の移動体の走行状態変化に応じた運転支援を行うことを可能にする車載装置を提供することにある。
【課題を解決するための手段】
【０００６】
上記目的は独立請求項に記載の特徴の組み合わせにより達成され、また、下位請求項は、発明の更なる有利な具体例を規定する。特許請求の範囲に記載した括弧内の符号は、一つの態様として後述する実施形態に記載の具体的手段との対応関係を示すものであって、本発明の技術的範囲を限定するものではない。
【０００７】
上記目的を達成するために、本発明の車載装置は、障害物を検出するのに用いる障害物センサ（２，２ａ，２ｂ，２ｃ，２ｄ，２ｅ，２ｆ）を搭載した車両で用いられる車載装置であって、障害物センサは、車両の左右側方のうち少なくとも一方の側方に広がる検出範囲が、車両の前後方向にそれぞれ並ぶ複数の障害物センサであり、複数の障害物センサのうちの障害物が検出される障害物センサの変遷をもとに、自車に対する障害物の移動状態を逐次判別する判別部（１７）と、複数の障害物センサの個々について、その障害物センサを用いて検出される障害物の自車に対する位置をそれぞれ特定する位置特定部（１１ａ，１１ｂ，１１ｃ，１１ｄ）と、複数の障害物センサの個々について位置特定部で特定する障害物の位置のずれと走行に伴う自車の位置のずれとの差をもとに、障害物センサで検出された障害物が移動体か否かを判定する移動体判定部（１５）と、複数の障害物センサの個々について位置特定部で特定した障害物の位置を記憶し、走行に伴う自車の位置のずれに応じて、記憶した障害物の位置を更新する位置管理部（１３）とを備え、移動体判定部は、位置管理部で逐次更新される障害物の位置を用いて、障害物センサで検出された障害物が移動体か否かを判定し、判別部は、移動体判定部で移動体であると判定された障害物が検出される障害物センサの変遷をもとに、自車に対する障害物の移動状態を逐次判別する。
【０００８】
車両の左右側方のうち少なくとも一方の側方に広がる検出範囲が車両の前後方向にそれぞれ並ぶ複数の障害物センサのうちの、障害物が検出される障害物センサの変遷の態様は、自車に対する障害物の移動状態によって異なる。よって、このような複数の障害物センサのうちの障害物が検出される障害物センサの変遷をもとに、判別部は、自車側方に存在する障害物の自車に対する移動状態を逐次判別することができる。自車側方の障害物の移動状態を逐次判別することができると、自車側方の移動体の走行状態の変化を判別することが可能になり、自車側方の移動体の走行状態変化に応じて運転支援を行うことも可能になる。
【図面の簡単な説明】
【０００９】
【図１】運転支援システム１００の概略的な構成の一例を示す図である。
【図２】実施形態１におけるサイドセンサ２の設置位置と検出範囲との一例を説明するための図である。
【図３】移動状態の状態遷移の一例を説明するための図である。
【図４】移動状態の状態遷移の一例を説明するための図である。
【図５】運転支援装置１での移動状態判別関連処理の流れの一例を示すフローチャートである。
【図６】判別部１７で判別した移動体の移動状態の運転支援への利用例について説明を行うための図である。
【図７】判別部１７で判別した移動体の移動状態の運転支援への利用例について説明を行うための図である。
【図８】判別部１７で判別した移動体の移動状態の運転支援への利用例について説明を行うための図である。
【図９】判別部１７で判別した移動体の移動状態の運転支援への利用例について説明を行うための図である。
【図１０】判別部１７で判別した移動体の移動状態の運転支援への利用例について説明を行うための図である。
【図１１】判別部１７で判別した移動体の移動状態の運転支援への利用例について説明を行うための図である。
【図１２】判別部１７で判別した移動体の移動状態の運転支援への利用例について説明を行うための図である。
【図１３】実施形態２におけるサイドセンサ２の設置位置と検出範囲との一例を説明するための図である。
【発明を実施するための形態】
【００１０】
図面を参照しながら、開示のための複数の実施形態及び変形例を説明する。なお、説明の便宜上、複数の実施形態及び変形例の間において、それまでの説明に用いた図に示した部分と同一の機能を有する部分については、同一の符号を付し、その説明を省略する場合がある。同一の符号を付した部分については、他の実施形態及び／又は変形例における説明を参照することができる。
【００１１】
また、以下に示す実施形態及び変形例は、左側通行が法制化されている地域に対応した実施形態及び変形例であり、右側通行が法制化されている地域では、以下の実施形態と左右が逆になる。
【００１２】
（実施形態１）
＜運転支援システム１００の概略構成＞
以下、本発明の実施形態１について図面を用いて説明する。図１に示す運転支援システム１００は、車両に搭載されるものであり、運転支援装置１、左フロントサイドセンサ２ａ、左リアサイドセンサ２ｂ、右フロントサイドセンサ２ｃ、右リアサイドセンサ２ｄ、車輪速センサ３、舵角センサ４、ＨＭＩシステム５、及び車両制御ＥＣＵ６を含んでいる。運転支援システム１００を搭載している車両を以降では自車と呼ぶ。
【００１３】
ここで、図２を用いて、左フロントサイドセンサ２ａ、左リアサイドセンサ２ｂ、右フロントサイドセンサ２ｃ、右リアサイドセンサ２ｄについて説明を行う。左フロントサイドセンサ２ａは、自車（図２のＨＶ参照）の前部の左側面に搭載され、自車の前部の左側方に存在する障害物を検出する。左リアサイドセンサ２ｂは、自車の後部の左側面に搭載され、自車の後部の左側方に存在する障害物を検出する。右フロントサイドセンサ２ｃは、自車の前部の右側面に搭載され、自車の前部の右側方に存在する障害物を検出する。右リアサイドセンサ２ｄは、自車の後部の右側面に搭載され、自車の後部の右側方に存在する障害物を検出する。この左フロントサイドセンサ２ａ、左リアサイドセンサ２ｂ、右フロントサイドセンサ２ｃ、右リアサイドセンサ２ｄが請求項の障害物センサに相当する。以降では、左フロントサイドセンサ２ａ、左リアサイドセンサ２ｂ、右フロントサイドセンサ２ｃ、右リアサイドセンサ２ｄを区別せずに説明を行う場合には、サイドセンサ２と呼ぶ。
【００１４】
サイドセンサ２は、探査波を送信し、障害物で反射されるその探査波の反射波を受信することで障害物までの距離を検出する。サイドセンサ２は、指向性の中心線が自車の車軸方向と例えば平行になるように配置される構成とすればよい。サイドセンサ２は、一例として、自車のシフトポジションが駐車位置及び中立位置以外の走行位置となった場合に探査波の送信を開始する構成とすればよい。他にも、自車のイグニッション電源がオンになった場合に探査波の送信を開始する構成としてもよい。
【００１５】
本実施形態の例では、図２に示すように、左フロントサイドセンサ２ａの検出範囲（図２のＳＡａ参照）と左リアサイドセンサ２ｂの検出範囲（図２のＳＡｂ参照）とは、自車の前後方向に沿って、自車の左側方に前後に並ぶ。一方、右フロントサイドセンサ２ｃの検出範囲（図２のＳＡｃ参照）と右リアサイドセンサ２ｄの検出範囲（図２のＳＡｄ参照）とは、自車の前後方向に沿って、自車の右側方に前後に並ぶ。
【００１６】
車輪速センサ３は、各転動輪の回転速度に応じたパルス信号を逐次出力する。舵角センサ４は、自車のステアリングの操舵角を検出するセンサであり、自車が直進状態で走行するときの操舵角を中立位置（０度）とし、その中立位置からの回転角度を操舵角として逐次出力する。
【００１７】
ＨＭＩシステム５は、コンビネーションメータ、ＣＩＤ（Center Information Display）、ＨＵＤ（Head-Up Display）等の表示装置、オーディオスピーカといった音声出力装置、操作デバイス、ＨＣＵ（Human Machine Interface Control Unit）といった制御装置等を備えている。
【００１８】
コンビネーションメータは、自車の運転席前方に配置される。ＣＩＤは、自車の車室内にてセンタクラスタの上方に配置される。コンビネーションメータ及びＣＩＤは、ＨＣＵから取得した画像データに基づいて、情報提示のための種々の画像をディスプレイの表示画面に表示する。ＨＵＤは、ＨＣＵから取得した画像データに基づく画像の光を、自車のウインドシールドに規定された投影領域に投影する。ウインドシールドによって車室内側に反射された画像の光は、運転席に着座するドライバによって知覚される。ドライバは、ＨＵＤによって投影された画像の虚像を、自車の前方の外界風景と重ねて視認可能となる。
【００１９】
また、オーディオスピーカは、自車のドアの内張り内に配置される。オーディオスピーカは、再生する音声によって乗員への情報提示を行う。操作デバイスは、自車のドライバが操作するスイッチ群である。操作デバイスは、各種の設定を行うために用いられる。例えば、操作デバイスとしては、自車のステアリングのスポーク部に設けられたステアリングスイッチ等がある。
【００２０】
ＨＣＵは、ＣＰＵ、ＲＯＭ及びＲＡＭ等のメモリ、Ｉ／Ｏ、これらを接続するバスを備え、メモリに記憶された制御プログラムを実行することで各種の処理を実行する。例えば、表示装置及び／又は音声出力装置から情報提示を行わせる。なお、ＨＣＵが実行する機能の一部または全部を、一つあるいは複数のＩＣ等によりハードウェア的に構成してもよい。
【００２１】
車両制御ＥＣＵ６は、自車の加減速制御及び／又は操舵制御を行う電子制御装置である。車両制御ＥＣＵ６としては、操舵制御を行う操舵ＥＣＵ、加減速制御を行うパワーユニット制御ＥＣＵ及びブレーキＥＣＵ等がある。車両制御ＥＣＵ６は、自車に搭載されたアクセルポジションセンサ、ブレーキ踏力センサ、車輪速センサ３、舵角センサ４、加速度センサ等の各センサから出力される検出信号を取得し、電子制御スロットル、ブレーキアクチュエータ、ＥＰＳ（Electric Power Steering）モータ等の各走行制御デバイスへ制御信号を出力する。
【００２２】
運転支援装置１は、ＣＰＵ、ＲＯＭ及びＲＡＭ等のメモリ、Ｉ／Ｏ、これらを接続するバスを備え、メモリに記憶された制御プログラムを実行することで各種の処理を実行する。運転支援装置１は、サイドセンサ２、車輪速センサ３、舵角センサ４等から入力された各種情報に基づき、各種処理を実行する。なお、運転支援装置１が実行する機能の一部又は全部を、一つ或いは複数のＩＣ等によりハードウェア的に構成してもよい。この運転支援装置１が請求項の車載装置に相当する。
【００２３】
運転支援装置１は、サイドセンサ２での検出結果をもとに、自車側方の障害物の移動体の有無、移動体の移動状態を判別する。また、運転支援装置１は、自車の周辺の障害物及び／又は路面標示を検出する周辺監視センサでの検出結果をもとに、ドライバによる運転操作の支援及び／又は代行といった運転支援を行う。
【００２４】
運転操作の支援の一例としては、障害物の存在する方向をドライバに報知する情報提示をＨＭＩシステム５に行わせたり、障害物の存在する方向への移動時にＨＭＩシステム５に警告を行わせたりする支援が挙げられる。
【００２５】
運転操作の代行の一例としては、車両制御ＥＣＵ６に自車の加速、制動、及び／又は操舵を自動で制御させる自動運転機能を実行させる支援が挙げられる。自動運転機能の一例としては、周辺監視センサから取得する先行車の検出結果をもとに駆動力及び制動力を調整することで、先行車との目標車間距離を維持するように自車の走行速度を制御するＡＣＣ（Adaptive Cruise Control）機能がある。また、周辺監視センサから取得する進行方向の走行区間線の検出結果をもとに、走行区画線への接近を阻む方向への操舵力を発生させることで、走行中の車線を維持して自車を走行させるＬＫＡ（Lane Keeping Assist）機能がある。他にも、周辺監視センサから取得する進行方向の走行区画線の検出結果、及び側方の移動体の検出結果をもとに、隣接車線へと自車を自動で合流（言い換えると車線変更）させるＬＣＡ（Lane Change Assist）機能がある。なお、ここで述べたのは、あくまで一例であり、自動運転機能として他の機能を備えている構成としてもよい。
【００２６】
周辺監視センサには、自車の周辺を監視するセンサとして、サイドセンサ２を含むものとする。周辺監視センサとしては、自車周囲の所定範囲を撮像する周辺監視カメラ、自車周囲の所定範囲に探査波を送信するミリ波レーダ、ソナー、ＬＩＤＡＲ（Light Detection and Ranging/Laser Imaging Detect ion and Ranging）等のセンサがある。サイドセンサ２は、周辺監視カメラ、ミリ波レーダ、ソナー、ＬＩＤＡＲのいずれであってもよいが、本実施形態では、ソナーである場合を例に挙げて説明を行う。
【００２７】
＜運転支援装置１の詳細構成＞
図１に示すように、運転支援装置１は、左フロント位置特定部１１ａ、左リア位置特定部１１ｂ、右フロント位置特定部１１ｃ、右リア位置特定部１１ｄ、車両位置変化特定部１２、位置管理部１３、区分処理部１４、移動体判定部１５、状態管理部１６、判別部１７、及び支援制御部１８を備える。
【００２８】
左フロント位置特定部１１ａは、左フロントサイドセンサ２ａで障害物を検出した場合に、左フロントサイドセンサ２ａから逐次得られる検出結果から、自車左側方に存在する障害物の自車に対する位置（以下、左第１障害物位置）を逐次特定する。より詳しくは、障害物のうちの、左フロントサイドセンサ２ａの探査波を反射した反射点の自車に対する位置を逐次特定する。
【００２９】
一例として、特開２０１４−７８０８６号公報に開示されているのと同様に、左フロントサイドセンサ２ａから反射点までの距離の履歴と、左フロントサイドセンサ２ａの位置の履歴とを用いて、三角測量の原理により、反射点の位置を特定する。左フロントサイドセンサ２ａから反射点までの距離は、探査波を送信してから反射波を受信するまでの時間をもとに算出すればよい。左フロントサイドセンサ２ａの位置は、自車位置に対する左フロントサイドセンサ２ａの設置位置と、自車位置とをもとに算出する構成とすればよい。自車位置は、ある時点での後輪車軸中心位置を基準点とし、この基準点を原点としたＸＹ座標系での位置で表す構成とすればよい。このＸＹ座標系は、Ｘ軸とＹ軸とを水平面内にとっているものとすればよい。なお、座標系の基準点は後輪車軸中心に限らず、任意の点としてもよい。
【００３０】
左リア位置特定部１１ｂは、左フロント位置特定部１１ａと同様にして、左リアサイドセンサ２ｂについて、自車左側方に存在する障害物の自車に対する位置（以下、左第２障害物位置）を逐次特定する。右フロント位置特定部１１ｃは、左フロント位置特定部１１ａと同様にして、右フロントサイドセンサ２ｃについて、自車右側方に存在する障害物の自車に対する位置（以下、右第１障害物位置）を逐次特定する。右リア位置特定部１１ｄは、左フロント位置特定部１１ａと同様にして、右リアサイドセンサ２ｄについて、自車右側方に存在する障害物の自車に対する位置（以下、右第２障害物位置）を逐次特定する。左フロント位置特定部１１ａ、左リア位置特定部１１ｂ、右フロント位置特定部１１ｃ、右リア位置特定部１１ｄが請求項の位置特定部に相当する。
【００３１】
車両位置変化特定部１２は、車輪速センサ３のパルス信号から求められる自車の走行距離と、舵角センサ４で逐次検出される自車の操舵角の変化とから、自車位置の変化を特定する。左フロント位置特定部１１ａ、左リア位置特定部１１ｂ、右フロント位置特定部１１ｃ、及び右リア位置特定部１１ｄで障害物位置を特定するのに用いる自車位置は、車両位置変化特定部１２で特定される自車位置の変化に合わせ、前述のＸＹ座標系での位置を逐次更新する構成とすればよい。
【００３２】
位置管理部１３は、複数のサイドセンサ２の個々について特定した障害物位置を、例えば運転支援装置１の揮発性メモリに記憶し、走行に伴う自車の位置のずれに応じて、記憶した障害物位置を更新する。具体例としては、車両位置変化特定部１２で特定した自車位置の変化に合わせ、前述のＸＹ座標系での障害物位置を逐次更新する。後述する区分処理部１４では、位置管理部１３で複数のサイドセンサ２の個々について記憶しておいた障害物位置を用いて処理を行う。
【００３３】
区分処理部１４は、左フロント位置特定部１１ａで逐次特定した左第１障害物位置の車幅方向の位置差分をもとに、車幅方向の位置が異なる障害物単位で左第１障害物位置を逐次区分する。一例として、車幅方向の位置差分が所定値以上の左第１障害物位置同士をそれぞれ別の障害物に区分する一方、車幅方向の位置差分が所定値未満の左第１障害物位置同士をそれぞれ同一の障害物に区分する。障害物位置がそれぞれ別の障害物に区分されるということは、サイドセンサ２で検出される対象が別の障害物に切り替わったことを示す。ここで言うところの所定位置とは、同一の障害物と考えにくい程度の車幅方向の位置差分であればよく、任意に設定可能な値である。
【００３４】
区分処理部１４は、左リア位置特定部１１ｂ、右フロント位置特定部１１ｃ、及び右リア位置特定部１１ｄについても、左フロント位置特定部１１ａと同様に、車幅方向の位置が異なる障害物単位で左第２障害物位置、右第１障害物位置、右第２障害物位置を区分する。また、区分処理部１４は、左第１障害物位置と左第２障害物位置、右第１障害物位置と右第２障害物位置とについても、車幅方向の位置差分が所定値未満のもの同士をそれぞれ同一の障害物に区分する構成とすればよい。
【００３５】
区分処理部１４で区分した左第１障害物位置、左第２障害物位置、右第１障害物位置、右第２障害物位置は、例えば、運転支援装置１の揮発性メモリに、区分した障害物ごとに対応付けて記憶すればよい。この場合、障害物位置を特定した時刻を示すタイムスタンプも対応付けて記憶すればよい。
【００３６】
移動体判定部１５は、複数のサイドセンサ２の個々について特定する障害物位置のずれと走行に伴う自車位置のずれとの差をもとに、サイドセンサ２で検出された障害物が移動体か否かを判定する。以降では、自車が前進する場合であって、且つ、自車の右側方の障害物を検出する場合を例に挙げて説明を行う。
【００３７】
移動体判定部１５は、区分処理部１４に区分された現在検出中の障害物について、右第１障害物位置及び右第２障害物位置のいずれも特定済みの場合に、この障害物が移動体か否か判定する。一例として、右フロントサイドセンサ２ｃでこの障害物を最初に検出した際に特定した右第１障害物位置と、右リアサイドセンサ２ｄでこの障害物を最初に検出した際に特定した右第２障害物位置とのずれと、車両位置変化特定部１２で特定した、この間の自車位置の変化に相当するずれと一致するか否かを判定する。ここで言うところの一致とは、完全に一致する場合に一致と判定する構成に限らず、誤差程度の許容範囲をもって一致と判定する構成としてもよい。そして、一致すると判定した場合には、現在検出中の障害物を静止物と判定する。一方、一致しないと判定した場合には、現在検出中の障害物を移動体と判定する。
【００３８】
状態管理部１６は、移動体判定部１５で移動体と判定された障害物についての、サイドセンサ２での検出状態、特定された障害物位置、判別部１７で判別された障害物の移動状態を逐次記憶する。サイドセンサ２での検出状態の遷移の情報については、区分処理部１４から得る構成とすればよい。サイドセンサ２で検出中の移動体について、右第１障害物位置しか特定されていない場合には、右フロントサイドセンサ２ｃでしか検出されていない検出状態となる。一方、右第２障害物位置しか特定されていない場合には、右リアサイドセンサ２ｄでしか検出されていない検出状態となる。右第１障害物位置と右第２障害物位置との両方が特定されている場合には、右フロントサイドセンサ２ｃと右リアサイドセンサ２ｄとの両方で検出されている検出状態となる。
【００３９】
判別部１７は、状態管理部１６に記憶されている、移動体と判定された障害物が検出されるサイドセンサ２の変遷についての情報、特定された障害物位置、及び判別部１７で判別された障害物の移動状態の履歴から、自車に対する移動体の移動状態を逐次判別する。移動状態の一例としては、移動体が自車に追いついた状態である追いつき状態、移動体が自車と並走する並走状態、移動体が自車を追い抜いて行く追い抜き状態、移動体が自車と反対方向に通過していくすれ違い状態等がある。なお、特定された障害物位置、及び判別部１７で判別された障害物の移動状態の履歴については、判別する移動状態の必要に応じて用いる構成とすればよい。判別部１７での移動状態の判別の詳細については後述する。
【００４０】
支援制御部１８は、自車の周辺の障害物及び／又は路面標示を検出する周辺監視センサでの検出結果をもとに、ＨＭＩシステム５及び／又は車両制御ＥＣＵ６に指示を行って、例えば前述したような運転支援を行う。また、支援制御部１８は、判別部１７で逐次判別する移動体の移動状態をもとに、自車の運転支援を行わせる。
【００４１】
＜移動状態の判別について＞
ここで、図３及び図４を用いて、判別部１７での移動状態の判別の一例について説明を行う。まず、図３を用いて、追いつき状態の判別について説明を行う。
【００４２】
［追いつき状態］
デフォルトは、右フロントサイドセンサ２ｃ及び右リアサイドセンサ２ｄのいずれでも移動体が検出されていない追いつきなし状態である。右リアサイドセンサ２ｄで移動体が検出された状態となると、判別部１７は、追いつき確定待ち状態と判別する。そして、右リアサイドセンサ２ｄで移動体が再度検出される状態が続くと、判別部１７は、追いつき状態と判別する。一方、右リアサイドセンサ２ｄで移動体が検出されない状態となった場合、追いつきなし状態と判別する。また、追いつき状態と判別した後に、右フロントサイドセンサ２ｃと右リアサイドセンサ２ｄとのいずれでも移動体が検出されない状態となると、追いつきなし状態と判別する。なお、追いつき確定待ち状態を経ずに、右リアサイドセンサ２ｄで移動体が検出された状態となった場合に、判別部１７が追いつき状態と判別する構成としてもよい。
【００４３】
［並走状態、追い抜き状態、すれ違い状態］
また、判別部１７は、追いつき状態と判別した場合に、並走状態、追い抜き状態、及びすれ違い状態といった移動状態の判別を行うことが好ましい。並走状態は、移動体が自車と並走する状態であり、追い抜き状態は、移動体が自車を追い抜いて行く状態であり、すれ違い状態は、移動体が自車と反対方向に通過していく状態である。ここで、図４を用いて、並走状態、追い抜き状態、及びすれ違い状態の判別について説明を行う。
【００４４】
デフォルトは未判別状態である。追いつき状態が判別された後の未判別状態では、右リアサイドセンサ２ｄで移動体（以下、第１移動体）が検出されている。この未判別状態において、右フロントサイドセンサ２ｃでも第１移動体が検出された状態となると、判別部１７は、第１移動体の移動状態を並走状態と判別する。
【００４５】
一方、未判別状態において、右リアサイドセンサ２ｄで検出している第１移動体よりも自車から車幅方向に離れた位置に、右フロントサイドセンサ２ｃで異なる移動体（以下、第２移動体）が検出された状態となると、判別部１７は、第２移動体の移動状態をすれ違い状態と判別する。個々の区別は、区分処理部１４での障害物の区分に従う構成とすればよい。
【００４６】
なお、比較の対象となる移動体がない場合、右フロントサイドセンサ２ｃで検出される移動体の移動状態が、すれ違い状態であるか追い抜き状態であるか判別することは困難である。これに対して、実施形態１の構成によれば、追いつき状態と判別した移動体を比較の対象とすることで、対向車線の対向車である可能性の高い移動体のすれ違い状態をより容易に判別可能としている。
【００４７】
また、未判別状態において、右リアサイドセンサ２ｄで検出している第１移動体と異なる移動体（以下、第３移動体）を右フロントサイドセンサ２ｃで検出している状態であって、右リアサイドセンサ２ｄで第３移動体が検出されない状態である場合には、判別部１７は、第３移動体の移動状態を追い抜き状態と判別する。
【００４８】
他にも、未判別状態において、右フロントサイドセンサ２ｃで移動体を検出した場合であって、且つ、この移動体を検出し続ける状態となった場合であって、右リアサイドセンサ２ｄで移動体が検出されない状態である場合には、判別部１７は、この移動体の移動状態を追い抜き状態と判別する。
【００４９】
続いて、並走状態において、右リアサイドセンサ２ｄで第１移動体が検出されない状態となると、判別部１７は、第１移動体の移動状態を追い抜き状態と判別する。単に右リアサイドセンサ２ｄで移動体が検出されなくなったことだけでは、移動体の移動状態を追い抜き状態と精度よく判別することが困難であるので、実施形態１では、並走状態を経たことを条件に追い抜き状態を判別することで、追い抜き状態の判別精度を向上させている。
【００５０】
一方、並走状態において、右リアサイドセンサ２ｄで第１移動体は検出されるが、右フロントサイドセンサ２ｃで第１移動体が検出されない状態となると、判別部１７は、移動状態を未判別状態に戻す。ここでは、判別部１７が第１移動体の移動状態を追いつき確定状態と判別してもよい。
【００５１】
また、追い抜き状態において、右フロントサイドセンサ２ｃで第１移動体が検出される状態が終わると、判別部１７は、移動状態を未判別状態に戻す。右フロントサイドセンサ２ｃで第１移動体が検出される状態が終わるとは、右フロントサイドセンサ２ｃで障害物が検出されなくなる状態に限らず、右フロントサイドセンサ２ｃで第１移動体以外の障害物を検出する状態へ切り替わった状態も含む。一方、追い抜き状態において、右フロントサイドセンサ２ｃのみで検出していた第１移動体が、右リアサイドセンサ２ｄでも検出される状態になると、判別部１７は、第１移動体の移動状態を並走状態に戻す。この移動状態の変化は、第１移動体が自車を追い抜こうとした後、思い直して並走に戻る場合に生じる。
【００５２】
また、すれ違い状態において、右フロントサイドセンサ２ｃ及び右リアサイドセンサ２ｄのいずれかでも第２移動体を検出している状態であれば、第２移動体の移動状態をすれ違い状態と判別し続ける。そして、右フロントサイドセンサ２ｃ及び右リアサイドセンサ２ｄのいずれでも第１移動体及び第２移動体を検出していない状態になった場合に、移動状態を未判別状態に戻せばよい。
【００５３】
＜移動状態判別関連処理＞
続いて、図５のフローチャートを用いて、運転支援装置１での移動状態の判別に関連する処理（以下、移動状態判別関連処理）の一例について説明を行う。図５のフローチャートは、例えばサイドセンサ２を起動した場合に開始される構成とすればよい。
【００５４】
まず、ステップＳ１では、右フロントサイドセンサ２ｃ及び右リアサイドセンサ２ｄの少なくともいずれかで障害物を検出した場合（Ｓ１でＹＥＳ）には、ステップＳ２に移る。一方、障害物を検出していない場合（Ｓ１でＮＯ）には、ステップＳ９に移る。
【００５５】
ステップＳ２では、右フロントサイドセンサ２ｃで障害物を検出した場合には、右フロント位置特定部１１ｃが右第１障害物位置を逐次特定する。右リアサイドセンサ２ｄで障害物を検出した場合には、右リア位置特定部１１ｄが右第２障害物位置を逐次特定する。特定された障害物位置は、区分処理部１４が障害物位置の車幅方向の位置差分をもとに、個々の障害物ごとに区分する。
【００５６】
ステップＳ３では、区分処理部１４に区分された現在検出中の障害物について、右第１障害物位置及び右第２障害物位置のいずれも特定済みであって、移動体判定部１５でこの障害物が移動体か否か判定可能な場合（Ｓ３でＹＥＳ）には、ステップＳ４に移る。一方、右第１障害物位置及び右第２障害物位置のいずれかが特定済みでなく、この障害物が移動体か否か判定不可能な場合（Ｓ３でＮＯ）には、ステップＳ９に移る。
【００５７】
ステップＳ４では、移動体判定部１５が、現在検出中の障害物が移動体か否か判定を行う。ステップＳ５では、Ｓ４で移動体と判定した場合（Ｓ５でＹＥＳ）には、ステップＳ６に移る。一方、Ｓ４で静止物と判定した場合（Ｓ５でＮＯ）には、ステップＳ９に移る。
【００５８】
ステップＳ６では、判別部１７が、移動体と判定された障害物が追いつき状態か否かを判別する。ステップＳ７では、Ｓ６で移動体を追いつき状態と判別した場合（Ｓ７でＹＥＳ）には、ステップＳ８に移る。一方、Ｓ６で移動体を追いつき状態でないと判別した場合（Ｓ７でＹＥＳ）には、ステップＳ９に移る。
【００５９】
ステップＳ８では、判別部１７が、移動体が並走状態、追い抜き状態、すれ違い状態のいずれの移動状態であるかを判別する。Ｓ８で判別した移動体の移動状態は、支援制御部１８での運転支援に利用される。移動体の移動状態の運転支援への利用については後に詳述する。
【００６０】
ステップＳ９では、移動状態判別関連処理の終了タイミングであった場合（ステップＳ９でＹＥＳ）には、移動状態判別関連処理を終了する。一方、移動状態判別関連処理の終了タイミングでなかった場合（ステップＳ９でＮＯ）には、Ｓ１に戻って処理を繰り返す。移動状態判別関連処理の終了タイミングとしては、例えば自車のイグニッション電源がオフになったときなどがある。
【００６１】
ここまでは、自車が前進する場合であって、且つ、自車の右側方の障害物を検出する場合を例に挙げて説明を行ったが、必ずしもこれに限らない。自車が後退する場合には、前述した内容を自車の前後のサイドセンサ２を入れ替えて実施する構成とすればよい。自車が前進するか後退するかは、シフトポジションセンサの信号から特定すればよい。なお、自車が後退する場合には、未判別状態において、右リアサイドセンサ２ｄで検出している移動体よりも自車から車幅方向において近い位置に、右フロントサイドセンサ２ｃで異なる移動体が検出された状態となった場合に、判別部１７が、この異なる移動体の移動状態をすれ違い状態と判別する構成とすればよい。また、自車の左側方の障害物を検出する場合には、前述した内容を自車の左右のサイドセンサ２を入れ替えて実施する構成とすればよい。
【００６２】
＜移動体の移動状態の運転支援への利用例＞
続いて、図６〜図１１を用いて、判別部１７で判別した移動体の移動状態の運転支援への利用例について説明を行う。図６〜図１１のＨＶが自車を示しており、ＯＶが他車を示している。図６〜図１１では、自車ＨＶの右側を他車ＯＶが走行する場合を例に挙げている。
【００６３】
［空き空間の判断］
まず、図６及び図７を用いて、空き空間の判断への利用についての説明を行う。空き空間の判断結果は、手動での駐車時の推奨経路の生成、自動駐車時の駐車経路の生成、自動運転時の走行経路の生成といった、運転支援時における経路生成に用いられる。
【００６４】
図６では、自車ＨＶの右側を他車ＯＶが追い抜いていく場合を例に挙げる。図６に示す例では、判別部１７で判別する他車ＯＶの移動状態が追いつき状態の場合には、支援制御部１８は右側に空き空間なしと判断する。判別部１７で判別する他車ＯＶの移動状態が並走状態、追い抜き状態と移った場合にも、支援制御部１８は右側に空き空間なしと判断する。支援制御部１８は、空き空間なしと判断した領域には、運転支援時における経路を生成しないようにする。
【００６５】
一方、判別部１７で判別する他車ＯＶの移動状態が並走状態、追い抜き状態と移った後に、他車ＯＶを検出しない未検出の状態となった場合には、支援制御部１８は右側に空き空間ありと判断する。支援制御部１８は、空き空間ありと判断した領域には、運転支援時における経路を生成可能とする。
【００６６】
図７では、自車ＨＶの右側を他車ＯＶが追い抜いていこうとしたが追い抜くのをやめて並走に切り替える場合を例に挙げる。図７に示す例でも、図６に示す例と同様に、判別部１７で判別する他車ＯＶの移動状態が追いつき状態、並走状態、追い抜き状態の場合には、支援制御部１８は右側に空き空間なしと判断する。さらに、判別部１７で判別する他車ＯＶの移動状態が追い抜き状態から並走状態と移った場合にも、支援制御部１８は右側に空き空間なしと判断する。支援制御部１８は、前述したように、空き空間なしと判断した領域には、運転支援時における経路を生成しないようにする。
【００６７】
これにより、他車ＯＶの追い抜き状態を判別した場合であっても、実際に追い抜いていったか、並走状態に戻ったかを新たに判別し、他車ＯＶの走行状態の変化に応じた運転支援時の経路生成を行うことを可能にしている。
【００６８】
［警告要否の判断］
続いて、図８及び図９を用いて、警告要否の判断への利用についての説明を行う。警告要否の判断結果は、障害物との接触回避といった運転支援に用いられる。図８では、自車ＨＶの右側を他車ＯＶが追い抜いていく場合を例に挙げる。図８に示す例では、判別部１７で判別する他車ＯＶの移動状態が追いつき状態の場合には、支援制御部１８は右側に警告対象ありと判断する。判別部１７で判別する他車ＯＶの移動状態が並走状態、追い抜き状態と移った場合にも、支援制御部１８は右側に警告対象ありと判断する。支援制御部１８は、警告対象ありと判断した領域に自車が移動しようとした場合は、ＨＭＩシステム５に指示を行って表示装置及び／又は音声出力装置から自車のドライバに向けて警告を行わせる。
【００６９】
一方、判別部１７で判別する他車ＯＶの移動状態が並走状態、追い抜き状態と移った後に、他車ＯＶを検出しない未検出の状態となった場合には、支援制御部１８は右側に空き警告対象なしと判断する。支援制御部１８は、警告対象なしと判断した領域に自車が移動しようとした場合には、前述した警告を行わせない。
【００７０】
図９では、自車ＨＶの右側を他車ＯＶが追い抜いていこうとしたが追い抜くのをやめて並走に切り替える場合を例に挙げる。図９に示す例でも、図８に示す例と同様に、判別部１７で判別する他車ＯＶの移動状態が追いつき状態、並走状態、追い抜き状態の場合には、支援制御部１８は右側に警告対象ありと判断する。さらに、判別部１７で判別する他車ＯＶの移動状態が追い抜き状態から並走状態と移った場合にも、支援制御部１８は右側に警告対象ありと判断する。支援制御部１８は、前述したように、警告対象ありと判断した領域に自車が移動しようとした場合には、前述した警告を行わせる。
【００７１】
図１０では、自車ＨＶが他車ＯＶに追いついて並走状態となった後、他車ＯＶが加速して自車ＨＶを追い抜いていく場合を例に挙げる。図１０に示す例では、判別部１７で判別する他車ＯＶの移動状態が追い抜き状態の場合には、支援制御部１８は右側に警告対象ありと判断する。判別部１７で判別する他車ＯＶの移動状態が並走状態に移った場合にも、支援制御部１８は右側に警告対象ありと判断する。支援制御部１８は、警告対象ありと判断した領域に自車が移動しようとした場合は、ＨＭＩシステム５に指示を行って表示装置及び／又は音声出力装置から自車のドライバに向けて警告を行わせる。
【００７２】
一方、判別部１７で判別する他車ＯＶの移動状態が並走状態、追い抜き状態と移った後に、他車ＯＶを検出しない未検出の状態となった場合には、支援制御部１８は右側に空き警告対象なしと判断する。支援制御部１８は、警告対象なしと判断した領域に自車が移動しようとした場合には、前述した警告を行わせない。
【００７３】
これにより、他車ＯＶの追い抜き状態を判別した場合であっても、実際に追い抜いていったか、並走状態に戻ったかを新たに判別し、他車ＯＶの走行状態の変化に応じた衝突回避の警告を行うことを可能にしている。
【００７４】
なお、ここでは、警告対象ありと判断した領域に自車が移動しようとした場合に警告を行わせる構成を示したが、必ずしもこれに限らない。例えば、警告対象ありと判断した領域に自車が移動しようとした場合に、自動で制動及び／又は操舵を制御して、警告対象ありと判断した領域への移動を制限する運転支援を行う構成としてもよい。
【００７５】
［合流可否の判断］
続いて、図１１及び図１２を用いて、隣接車線への合流可否の判断への利用についての説明を行う。合流可否の判断結果は、手動での隣接車線への合流タイミングの通知、自車を自動で合流させるＬＣＡ機能における隣接車線への合流開始の判断に用いられる。
【００７６】
図１１では、自車ＨＶの右側を他車ＯＶが追い抜いていく場合を例に挙げる。図１１に示す例では、判別部１７で判別する他車ＯＶの移動状態が追いつき状態、並走状態の場合には、支援制御部１８は合流不可と判断する。支援制御部１８は、合流不可と判断している場合には、隣接車線への合流タイミングの通知を行ったり、自動での合流を開始させたりしないようにする。つまり、合流を許可しない。
【００７７】
一方、判別部１７で判別する他車ＯＶの移動状態が並走状態から追い抜き状態と移った場合には、支援制御部１８は合流可と判断する。支援制御部１８は、合流可と判断した場合には、隣接車線への合流タイミングの通知を行ったり、自車のウィンカランプを点灯させて自動での合流を開始させたりする。つまり、合流を許可する。
【００７８】
図１２では、自車ＨＶの右側を他車ＯＶが追い抜いていこうとしたが追い抜くのをやめて自車後方に下がっていく場合を例に挙げる。図１２に示す例でも、図１１に示す例と同様に、判別部１７で判別する他車ＯＶの移動状態が追いつき状態、並走状態の場合には、支援制御部１８は合流不可と判断する。一方、判別部１７で判別する他車ＯＶの移動状態が追い抜き状態から並走状態、未判別状態と移った場合には、支援制御部１８は合流可と判断する。支援制御部１８は、前述したように、合流可と判断した場合には、隣接車線への合流タイミングの通知を行ったり、自車のウィンカランプを点灯させて自動での合流を開始させたりする。
【００７９】
これにより、瞬間的な他車ＯＶの移動状態だけでは他車ＯＶの動向がわからずに隣接車線への合流可否の判断が困難な場合であっても、並走状態を経た移動状態を新たに判別し、他車ＯＶの走行状態の変化に応じた隣接車線への合流の支援を行うことを可能にしている。
【００８０】
なお、追い抜き状態を判別した後に右フロントサイドセンサ２ｃで移動体を検出しなくなった場合に、隣接車線への合流タイミングの通知を行ったり、自車のウィンカランプを点灯させて自動での合流を開始させたりする構成としてもよい。また、並走状態から未判別状態と移った後に右リアサイドセンサ２ｄで移動体を検出しなくなった場合に、隣接車線への合流タイミングの通知を行ったり、自車のウィンカランプを点灯させて自動での合流を開始させたりする構成としてもよい。
【００８１】
＜実施形態１のまとめ＞
車両の左右側方のうち少なくとも一方の側方に広がる検出範囲が車両の前後方向にそれぞれ並ぶ複数のサイドセンサ２のうちの、障害物が検出されるサイドセンサ２の変遷の態様は、自車に対する障害物の移動状態によって異なる。例えば、自車の前後のいずれの方向から障害物が接近してくるかによって、どのサイドセンサ２から順に障害物が検出されるかが異なる。また、自車の前後のいずれの方向に障害物が離れていくかによって、どのサイドセンサ２から順に障害物が検出されなくなるかが異なる。他にも、自車に障害物が並走するか離れていくかによって、障害物センサで障害物が検出され続けるか否かが異なる。
【００８２】
実施形態１の構成によれば、複数のサイドセンサ２のうちの障害物が検出されるサイドセンサ２の変遷をもとに、判別部１７が、自車側方に存在する障害物の自車に対する移動状態を逐次判別するので、自車側方の移動体の走行状態の変化を判別することができる。また、前述したように、自車側方の移動体の走行状態変化に応じて運転支援を行うこともできる。
【００８３】
また、実施形態１の構成によれば、サイドセンサ２で検出した障害物が移動体と判定した場合に移動状態の判別を行うので、静止物についての移動状態を判別してしまう手間を省くことができる。
【００８４】
（実施形態２）
実施形態１では、サイドセンサ２として、自車の少なくとも一方の側方に広がる検出範囲が自車の前後方向にそれぞれ並ぶ２つのサイドセンサ２を用いる構成を示したが、必ずしもこれに限らない。例えば、サイドセンサ２として、自車の少なくとも一方の側方に広がる検出範囲が自車の前後方向にそれぞれ並ぶ３つ以上のサイドセンサ２を用いる構成（以下、実施形態２）としてもよい。
【００８５】
以下では、図１３を用いて、実施形態２におけるサイドセンサ２の設置位置と検出範囲との一例について説明を行う。図１３の例では、左フロントサイドセンサ２ａ、左センタサイドセンサ２ｅ、左リアサイドセンサ２ｂ、右フロントサイドセンサ２ｃ、右センタサイドセンサ２ｆ、右リアサイドセンサ２ｄを自車に搭載する場合を例に挙げて説明を行う。
【００８６】
左センタサイドセンサ２ｅは、自車（図１２のＨＶ参照）の中央部の左側面に搭載され、自車の中央部の左側方に存在する障害物を検出する。右センタサイドセンサ２ｆは、自車の中央部の右側面に搭載され、自車の中央部の右側方に存在する障害物を検出する。この左センタサイドセンサ２ｅ、右センタサイドセンサ２ｆも請求項の障害物センサに相当する。
【００８７】
また、図１３に示すように、左フロントサイドセンサ２ａの検出範囲（図１３のＳＡａ参照）と、左センタサイドセンサ２ｅの検出範囲（図１３のＳＡｅ参照）と、左リアサイドセンサ２ｂの検出範囲（図１３のＳＡｂ参照）とは、自車の前後方向に沿って、自車の左側方に前後に並ぶ。一方、右フロントサイドセンサ２ｃの検出範囲（図１３のＳＡｃ参照）と、右センタサイドセンサ２ｆの検出範囲（図１３のＳＡｆ参照）と、右リアサイドセンサ２ｄの検出範囲（図１３のＳＡｄ参照）とは、自車の前後方向に沿って、自車の右側方に前後に並ぶ。
【００８８】
実施形態２では、運転支援装置１が、左センタサイドセンサ２ｅで検出した障害物の位置、及び右センタサイドセンサ２ｆで検出した障害物の位置を、他のサイドセンサ２の場合と同様にして特定する。そして、移動体判定部１５が、実施形態１と同様にして、複数のサイドセンサ２の個々について特定する障害物位置のずれと走行に伴う自車位置のずれとの差をもとに、サイドセンサ２で検出された障害物が移動体か否かを判定する。例えば、実施形態２では、移動体判定を迅速に開始できるように、自車の前後方向での設置位置及び／又は検出範囲がお互いに近いサイドセンサ２についての障害物位置同士のずれと走行に伴う自車位置のずれとの差をもとに、移動体判定を行う構成としてもよい。
【００８９】
また、実施形態２では、判別部１７が、実施形態１よりも細分化された、移動体と判定された障害物が検出されるサイドセンサ２の変遷についての情報を用いることで、移動体の移動状態を実施形態１よりも詳細に判別する。一例として、移動体を検出しない状態となったサイドセンサ２の数によって追い抜き状態を２段階に分けて判別する。このように、実施形態２の構成によれば、移動体の移動状態を実施形態１よりも詳細に判別することが可能になる。
【００９０】
（変形例１）
前述の実施形態では、並走状態を経たことを条件に追い抜き状態を判別する構成を示したが、必ずしもこれに限らない。例えば、並走状態を経たことを条件とせずに、追い抜き状態を判別する構成としてもよい。
【００９１】
（変形例２）
前述の実施形態では、追いつき状態を判別したことを条件に追い抜き状態、すれ違い状態、並走状態を判別する構成を示したが、必ずしもこれに限らない。例えば、追いつき状態を判別したことを条件とせずに、追い抜き状態、すれ違い状態、並走状態を判別する構成としてもよい。
【００９２】
（変形例３）
前述の実施形態では、サイドセンサ２で検出した障害物が移動体と判定した場合に移動状態の判別を行う構成を示したが、必ずしもこれに限らない。例えば、サイドセンサ２で検出した障害物が移動体か否かを判定せずにその障害物の移動状態の判別を行う構成としてもよい。
【００９３】
（変形例４）
前述の実施形態では、サイドセンサ２を自車側面に取り付ける構成を示したが、必ずしもこれに限らない。自車の車幅方向の同じ側に並ぶサイドセンサ２の検出範囲が、略同じ向きで自車前後方向に配列されるのであれば、取り付け位置は自車側面に限らない。
【００９４】
（変形例５）
前述の実施形態では、自車の位置の変化を自車の操舵角及び走行距離から特定する構成を示したが、必ずしもこれに限らない。例えば、自車のヨーレート等を用いて、自車の位置の変化を特定する構成としてもよい。
【００９５】
（変形例６）
前述の実施形態では、運転支援装置１に備えられる支援制御部１８が運転支援を行う構成を示したが、必ずしもこれに限らない。例えば、支援制御部１８の機能を運転支援装置１以外の電子制御装置が担う構成としてもよい。
【００９６】
なお、本発明は、上述した実施形態及び変形例に限定されるものではなく、請求項に示した範囲で種々の変更が可能であり、異なる実施形態及び変形例にそれぞれ開示された技術的手段を適宜組み合わせて得られる実施形態についても本発明の技術的範囲に含まれる。
【符号の説明】
【００９７】
１  運転支援装置（車載装置）、２  サイドセンサ（障害物センサ）、２ａ  左フロントサイドセンサ（障害物センサ）、２ｂ  左リアサイドセンサ（障害物センサ）、２ｃ  右フロントサイドセンサ（障害物センサ）、２ｄ  右リアサイドセンサ（障害物センサ）、２ｅ  左センタサイドセンサ（障害物センサ）、２ｆ  右センタサイドセンサ（障害物センサ）、１１ａ  左フロント位置特定部（位置特定部）、１１ｂ  左リア位置特定部（位置特定部）、１１ｃ  右フロント位置特定部（位置特定部）、１１ｄ  右リア位置特定部（位置特定部）、１３  位置管理部、１５  移動体判定部、１７  判別部、１８  支援制御部、１００  運転支援システム
【図１】
0006500820.tif 000002
【図２】
0006500820.tif 000003
【図３】
0006500820.tif 000004
【図４】
0006500820.tif 000005
【図５】
0006500820.tif 000006
【図６】
0006500820.tif 000007
【図７】
0006500820.tif 000008
【図８】
0006500820.tif 000009
【図９】
0006500820.tif 000010
【図１０】
0006500820.tif 000011
【図１１】
0006500820.tif 000012
【図１２】
0006500820.tif 000013
【図１３】
0006500820.tif 000014